(57)【要約】【課題】後幕マグネットへの連続通電にともなう温度上昇に起因した後幕切れ時間の変動を補償する。【解決手段】  シャッターの先幕と後幕の走行をそれぞれのマグネットにより係止または解除して撮像素子の露光を制御するカメラであって、先幕マグネットへの通電を解除して先幕を走行させるとともに後幕マグネットへ通電して後幕の走行を係止したシャッター開放状態で所定の動作を行うカメラにおいて、シャッター開放状態における後幕マグネットの温度を推定し、推定された温度に基づいて上記所定の動作後の静止画撮影時の後幕マグネットの通電解除タイミングを変更する。【選択図】図７
2010181522.tif 000002
【特許請求の範囲】
【請求項１】
シャッターの先幕と後幕の走行をそれぞれのマグネットにより係止または解除して撮像素子の露光を制御するカメラであって、前記先幕マグネットへの通電を解除して前記先幕を走行させるとともに前記後幕マグネットへ通電して前記後幕の走行を係止したシャッター開放状態で所定の動作を行うカメラにおいて、
前記シャッター開放状態における前記後幕マグネットの温度を推定する推定手段と、
前記推定手段により推定された温度に基づいて、前記所定の動作後の静止画撮影時の前記後幕マグネットの通電解除タイミングを変更する変更手段とを備えることを特徴とするカメラ。
【請求項２】
請求項１に記載のカメラにおいて、
前記変更手段は、前記推定手段により推定された温度が高いほど前記後幕マグネットの通電解除タイミングを遅くすることを特徴とするカメラ。
【請求項３】
請求項１または請求項２に記載のカメラにおいて、
前記シャッター開放状態における前記後幕マグネットへの通電時間を計時する計時手段を備え、
前記推定手段は、前記計時手段により計時された通電時間に基づいて前記後幕マグネットの温度を推定することを特徴とするカメラ。
【請求項４】
請求項１または請求項２に記載のカメラにおいて、
前記後幕マグネットへの通電電流を検出する検出手段を備え、
前記推定手段は、前記検出手段により検出された電流に基づいて前記後幕マグネットの温度を推定することを特徴とするカメラ。
【請求項５】
請求項１または請求項２に記載のカメラにおいて、
前記推定手段は、前記シャッター開放状態とそれに続くシャッター閉じ状態における前記後幕マグネットの温度を推定し、
前記変更手段は、前記所定の動作とその後の静止画撮影とを繰り返し行う場合には、前記推定手段により推定された前記シャッター開放状態とそれに続くシャッター閉じ状態における前記後幕マグネットの温度に基づいて、前記所定の動作後の静止画撮影時の前記後幕マグネットの通電解除タイミングを変更することを特徴とするカメラ。
【請求項６】
請求項５に記載のカメラにおいて、
前記計時手段は、前記シャッター開放状態における前記後幕マグネットへの通電時間と、前記シャッター閉じ状態における前記後幕マグネットの非通電時間とを計時し、
前記推定手段は、前記計時手段により計時された通電時間と非通電時間とに基づいて前記後幕マグネットの温度を推定することを特徴とするカメラ。
【発明の詳細な説明】
【技術分野】
【０００１】
本発明はカメラに関する。
【背景技術】
【０００２】
シャッターの先幕と後幕の走行をそれぞれのマグネットにより係止または解除して撮像素子の露出制御を行うとともに、撮像素子により撮像される画像をリアルタイムにモニターに表示するライブビュー機能を備えたカメラでは、ライブビュー時に先幕を走行させた後、後幕マグネットに通電したまま後幕を係止してライブビューを行っている。
ところが、ライブビュー時間が長くなると、通電中の後幕マグネットのコイル温度が上昇して保持力が低下し、後幕マグネットへの通電を解除して後幕を走行させるときに後幕の切れ時間が短くなるため、後幕の走行タイミングが早くなってしまい、設定したシャッター秒時での露光ができなくなるという問題がある。この問題を解決するために、シャッター速度に応じてライブビュー時間を制限するようにしたカメラが提案されている。
【先行技術文献】
【特許文献】
【０００３】
【特許文献１】特開２００８−１７２５５３号公報
【発明の概要】
【発明が解決しようとする課題】
【０００４】
しかしながら、上述した従来のカメラでは、シャッター秒時が高速になるほど許容ライブビュー時間が短くなるため、使い勝手が悪いという問題がある。
【課題を解決するための手段】
【０００５】
(１)  請求項１の発明は、シャッターの先幕と後幕の走行をそれぞれのマグネットにより係止または解除して撮像素子の露光を制御するカメラであって、先幕マグネットへの通電を解除して先幕を走行させるとともに後幕マグネットへ通電して後幕の走行を係止したシャッター開放状態で所定の動作を行うカメラにおいて、シャッター開放状態における後幕マグネットの温度を推定する推定手段と、推定手段により推定された温度に基づいて、所定の動作後の静止画撮影時の後幕マグネットの通電解除タイミングを変更する変更手段とを備える。
(２)  請求項２の発明は、請求項１に記載のカメラにおいて、変更手段は、推定手段により推定された温度が高いほど後幕マグネットの通電解除タイミングを遅くする。
(３)  請求項３の発明は、請求項１または請求項２に記載のカメラにおいて、シャッター開放状態における後幕マグネットへの通電時間を計時する計時手段を備え、推定手段は、計時手段により計時された通電時間に基づいて後幕マグネットの温度を推定する。
(４)  請求項４の発明は、請求項１または請求項２に記載のカメラにおいて、後幕マグネットへの通電電流を検出する検出手段を備え、推定手段は、検出手段により検出された電流に基づいて後幕マグネットの温度を推定する。
(５)  請求項５の発明は、請求項１または請求項２に記載のカメラにおいて、推定手段は、シャッター開放状態とそれに続くシャッター閉じ状態における後幕マグネットの温度を推定し、変更手段は、所定の動作とその後の静止画撮影とを繰り返し行う場合には、推定手段により推定されたシャッター開放状態とそれに続くシャッター閉じ状態における後幕マグネットの温度に基づいて、所定の動作後の静止画撮影時の後幕マグネットの通電解除タイミングを変更する。
(６)  請求項６の発明は、請求項５に記載のカメラにおいて、計時手段は、シャッター開放状態における後幕マグネットへの通電時間と、シャッター閉じ状態における後幕マグネットの非通電時間とを計時し、推定手段は、計時手段により計時された通電時間と非通電時間とに基づいて後幕マグネットの温度を推定する。
【発明の効果】
【０００６】
本発明によれば、シャッター開放状態で所定の動作を行った後に静止画撮影を行うときに、所定の動作中の後幕マグネットへの連続通電による温度上昇に拘わらず正確なシャッター秒時で引き続き静止画撮影を行うことができる。
【図面の簡単な説明】
【０００７】
【図１】一実施の形態のカメラの構成を示す横断面図
【図２】一実施の形態のカメラのシャッター機構を示す斜視図
【図３】一実施の形態のカメラの構成を示すブロック図
【図４】一実施の形態のカメラの撮影動作を示すフローチャート
【図５】図４に続く一実施の形態のカメラの撮影動作を示すフローチャート
【図６】一実施の形態の後幕マグネットの通電時間に対する温度、保持力および電流の変化を示す図
【図７】一実施の形態のカメラのシャッターの走行曲線を示す図
【発明を実施するための形態】
【０００８】
本願発明を一眼レフデジタルカメラに適用した一実施の形態を説明する。なお、本願発明は、シャッターの先幕と後幕の走行をそれぞれのマグネットにより係止または解除して撮像素子の露出制御を行うとともに、後幕マグネットに通電したまま後幕の走行を係止してライブビュー、動画撮影、バルブ撮影などの撮影動作を行うあらゆるカメラに適用することができる。
【０００９】
図１は一実施の形態のカメラの構造を示す横断面図、図２はシャッター機構を示す斜視図、図３は一実施の形態のカメラの構成を示すブロック図である。これらの図により一実施の形態のカメラの構成を説明する。なお、これらの図では本願発明に直接関係のないカメラの機器、回路および装置の図示と説明を省略する。まず、図１において、撮影光学系１から撮像素子２までの撮影光路にはメインミラー３、サブミラー４、シャッター先幕５、シャッター後幕６などが配置されている。また、カメラの下部には撮影光学系１の焦点調節状態すなわちデフォーカス量を検出するための焦点検出装置７が配置され、カメラの上部にはペンタプリズム８、接眼レンズ９、測光装置１０などが配置されている。さらに、カメラの背面には撮影した画像と種々の情報を表示するためのＬＣＤモニター１１などが配置されている。
【００１０】
撮像素子２の非露光時には、メインミラー３とサブミラー４が図１に示すように撮影光路中に置かれ、メインミラー３を反射した被写体光の一部はペンタプリズム８、接眼レンズ９を介して撮影者の目へ導かれるとともに、測光装置１０へ導かれ、測光装置１０により被写体輝度の測定が行われる。また、メインミラー３を透過した被写体光の一部はサブミラー４に反射されて焦点検出装置７へ導かれ、焦点検出装置７により撮影光学系１の焦点検出が行われる。一方、撮像素子２の露光時、すなわち静止画撮影時、高速連写時、動画撮影時、バルブ撮影時、ライブビュー動作時には、メインミラー３とサブミラー４が撮影光路から退避され、図１に破線で示す退避位置までミラーアップされる。そして、シャッター先幕５と後幕６が開放されて撮像素子２の電荷蓄積が行われ、撮影光学系１により撮像面に結像された被写体像の撮影が行われる。
【００１１】
次に、図２において、シャッター先幕５は、先幕羽根５ｂ、先幕マグネット５ｍ、係止機構５ｋを有する。先幕マグネット５ｍはコイル５ｃが巻き付けられたアーマチュア５ａと係止機構５ｋに連結されたヨーク５ｙから成り、コイル５ｃに通電するとアーマチュア５ａに電磁力が発生してヨーク５ｙが吸着され、バネ力(不図示)に打ち勝って係止機構５ｋが作動する。コイル５ｃへの通電を解除すると、アーマチュア５ａの電磁力が消滅してヨーク５ｙが解放され、バネ力により係止機構５ｋが復帰する。シャッターチャージ後に先幕マグネット５ｍに通電して係止機構５ｋを作動させ、先幕羽根５ｂの走行を係止する。その後、先幕走行開始タイミングで先幕マグネット５ｍへの通電を解除すると、係止機構５ｋによる先幕羽根５ｂの係止が解除され、先幕羽根５ｂが走行を開始する。
【００１２】
同様に、シャッター後幕６は、後幕羽根６ｂ、後幕マグネット６ｍ、係止機構６ｋを有する。後幕マグネット６ｍはコイル６ｃが巻き付けられたアーマチュア６ａと係止機構６ｋに連結されたヨーク６ｙから成り、コイル６ｃに通電するとアーマチュア６ａに電磁力が発生してヨーク６ｙが吸着され、バネ力(不図示)に打ち勝って係止機構６ｋが作動する。コイル６ｃへの通電を解除すると、アーマチュア６ａの電磁力が消滅してヨーク６ｙが解放され、バネ力により係止機構６ｋが復帰する。シャッターチャージ後に後幕マグネット６ｍに通電して係止機構６ｋを作動させ、後幕羽根６ｂの走行を係止する。その後、後幕走行開始タイミングで後幕マグネット６ｍへの通電を解除すると、係止機構６ｋによる後幕羽根６ｂの係止が解除され、後幕羽根６ｂが走行を開始する。
【００１３】
なお、先幕羽根５ｂと後幕羽根６ｂは、先幕マグネット５ｍおよび後幕マグネット６ｍによる係止とは別に、図示しない機械的な係止機構を備えている。通常は、この機械的な係止機構により先幕羽根５ｂと後幕羽根６ｂが保持され、機械的に係止されている。シャッターの走行に先立って、まず先幕マグネット５ｍと後幕マグネット６ｍへの通電が行われ、先幕羽根５ｂと後幕羽根６ｂを電磁力による係止状態にした後、両羽根５ｂ、６ｂの上記機械的な係止機構が解放され、両羽根５ｂ、６ｂは電磁力のみにより係止される。その後、シャッター先幕５の走行タイミングで先幕マグネット５ｍへの通電が解除され、シャッター秒時後のシャッター後幕６の走行タイミングで後幕マグネット６ｍへの通電が解除される。
【００１４】
図３において、測光装置１０は図示しない測光光学系および測光素子を備え、被写体の輝度を測定する。この測光結果に基づいて撮像素子２の露出時間すなわちシャッター秒時が決定される。焦点検出装置７は図示しない焦点検出光学系と焦点検出センサーを備え、撮影光学系１の射出瞳上の異なる一対の領域を通過した一対の被写体光束を焦点検出光学系により焦点検出センサーの焦点検出面に導き、焦点検出面に結像した一対の像の相対的なズレ量に基づいて位相差検出方式により撮影光学系１のデフォーカス量を検出する。
【００１５】
撮像素子２はＣＣＤやＣＭＯＳなどのイメージセンサーから構成され、撮像面に結像された被写体像の画像信号を出力する。蓄積制御回路２１は撮像素子２の電荷蓄積を制御し、信号処理回路２２は撮像素子２から読み出された被写体像の画像信号に対して種々の処理を施す。操作部材２３はカメラの電源スイッチ、シャッターレリーズスイッチ、ライブビューモードスイッチ、撮影モードセレクター、方向キースイッチなどのカメラを操作するための部材であり、各部材の操作信号は入力回路２４を介してコントローラー２５へ入力される。コントローラー２５はＣＰＵ２５ａやメモリ２５ｂを備え、カメラの各種演算制御やシーケンス制御などを行う。
【００１６】
表示制御回路２６はモニター１１に画像や種々の情報を表示し、記録制御回路２７はメモリカードなどの着脱可能な記録媒体２８に画像を記録する。また、レンズ駆動制御回路２９は撮影光学系１のフォーカシングレンズ(不図示)を駆動して焦点調節を行い、ミラー駆動制御回路３０はメインミラー３とサブミラー４を駆動して撮影光路からの退避と復帰（ミラーアップとミラーダウン）を行う。シャッター制御回路３１はコントローラー２５からの指令にしたがってシャッター先幕５のマグネット５ｍとシャッター後幕６のマグネット６ｍの通電と解放を行う。
【００１７】
図４および図５は一実施の形態の撮影動作を示すフローチャート、図６は後幕マグネット６ｍの通電時間Ｔに対する温度、保持力および電流の変化を示す特性図、図７はシャッター先幕５と後幕６の走行曲線を示す図である。これらの図により一実施の形態の撮影動作を説明する。なお、以下では本発明と直接関係のない撮像動作、画像処理、画像表示、画像記録などの動作についての説明を省略する。操作部材２３のカメラの電源スイッチがオンされると、コントローラー２５のＣＰＵ２５ａは図４および図５に示す撮影動作を開始する。ステップ１において、操作部材２３のライブビューモードスイッチが操作され、ライブビューモードが設定されたか否かを判別する。ライブビューモードが設定されていないときはステップ２〜９の通常の撮影動作を実行し、ライブビューモードが設定されているときはステップ１１〜３０のライブビュー時の撮影動作を実行する。
【００１８】
まず、ライブビューモードが設定されていないときの通常の撮影動作を説明する。ステップ２において操作部材２３のシャッターレリーズスイッチがオンされ、撮影者から静止画撮影要求があるか否かを判別し、静止画撮影要求があるとステップ３へ進む。ステップ３ではシャッター先幕マグネット５ｍと後幕マグネット６ｍへ通電し、電磁的な係止を開始する。続くステップ４でメインミラー３とサブミラー４を撮影光路から退避させてミラーアップを行う。このとき同時に上述した機械的な保持機構によるシャッター幕の係止を解除する。
【００１９】
ステップ５で先幕マグネット５ｍへの通電を解除して先幕羽根５ｂを走行させた後、ステップ６では先幕マグネット５ｍへの通電解除からシャッター秒時Ｔｎ（測光結果に基づく露出演算により算出）が経過するのを待つ。シャッター秒時Ｔｎ経過後のステップ７において、後幕マグネット６ｍへの通電を解除して後幕６ｂを走行させる。シャッター先幕５と後幕６の走行によって撮像素子２がシャッター秒時の間、露光される。なお、シャッター秒時が短い場合には、先幕バネ５ｂの走行終了前に後幕バネ６ｂの走行が開始されるスリット露光が行われる。シャッター走行後のステップ８でメインミラー３とサブミラー４を撮影光路に復帰させ、ステップ９でシャッター先幕５と後幕６のチャージを行う。
【００２０】
次に、ライブビューモードが設定されているときの撮影動作を説明する。ステップ１１において先幕マグネット５ｍと後幕マグネット６ｍへ通電し、続くステップ１２で後幕マグネット６ｍの通電時間Ｔの計測を開始する。ステップ１３でメインミラー３とサブミラー４をミラーアップして撮影光路から退避させるとともに、同時に先幕羽根５ｂと後幕羽根６ｂの上述した機械的な係止機構を解放する。所定時間経過後のステップ１４で先幕マグネット５ｍへの通電を解除して先幕羽根５ｂを走行させる。これにより、撮像素子２が連続的に露光され、撮像素子２から所定時間間隔で出力される画像信号によりスルー画が生成されてモニター１１に表示される、つまりライブビューが行われる。
【００２１】
ステップ１５において、操作部材２３のシャッターレリーズスイッチがオンされ、撮影者から静止画撮影要求があるか否かを判別し、静止画撮影要求があるとステップ１６へ進む。ステップ１６では後幕マグネット６ｍへの通電を解除して後幕羽根６ｂを走行させ、撮像素子２を遮光してライブビューを終了させる。そして、ステップ１７でライブビュー期間中の後幕マグネット６ｍへの通電時間Ｔを算出する。ステップ１８で後幕マグネット６ｍへの通電時間Ｔを所定時間Ｔｓと比較し、通電時間Ｔが所定時間Ｔｓより短い場合はステップ１９へ進み、通電時間Ｔが所定時間Ｔｓ以上の場合はステップ２０へ進む。
【００２２】
ここで、ライブビューはシャッター後幕マグネット６ｍへ連続的に通電したまま、シャッターを開放して撮像素子２を露光状態にして行われるため、図６に示すように後幕マグネット６ｍへの通電時間Ｔが長くなるほど後幕マグネット６ｍの温度が上昇する。ただし、後幕マグネット６ｍは通電時間Ｔがある時間Ｔｓを経過すると温度上昇が飽和する特性を有している。なお、後幕マグネット６ｍの最低温度は常温である。さらに、後幕マグネット６ｍの温度が上昇するにつれて、図６に示すように後幕マグネット６ｍの保持力が低下する。しかし、所定時間Ｔｓを経過して温度上昇が飽和するとマグネット保持力も一定値に収束する。
【００２３】
なお、後幕マグネット６ｍの温度上昇にともなってマグネットコイル６ｃの抵抗値が大きくなるため、マグネットコイル６ｃに一定電圧を印加していても、図６に示すように後幕マグネット６ｍの温度が上昇するにつれてマグネットコイル６ｃに流れる電流が減少する。この後幕マグネット６ｍの通電電流に対する温度の特性曲線を記憶しておき、マグネットコイル６ｃに流れる電流を検出して特性曲線を参照し、後幕マグネット６ｍの温度を推定することができる。
【００２４】
シャッター先幕５と後幕６の走行をそれぞれのマグネット５ｍ、６ｍにより係止または解除して撮像素子２の露出制御を行うとともに、撮像素子２により撮像される画像をリアルタイムにモニター１１に表示するライブビュー機能を備えた一実施の形態のカメラでは、ライブビュー時に先幕５を走行させた後、後幕マグネット６ｍに通電したまま後幕６を係止してライブビューを行うため、上述したように、ライブビュー期間が長くなると通電中の後幕マグネット６ｍのコイル温度が上昇して保持力が低下する。そのため、図７に示すように、後幕マグネット６ｍへの通電を解除して後幕６を走行させるときに後幕６の切れ時間が短くなり、後幕羽根６ｂが図中に破線で示す曲線に沿って走行することになり、設定したシャッター秒時Ｔｎでの露光ができなくなる。
【００２５】
シャッター後幕６の切れ時間は後幕マグネット６ｍの保持力が小さくなるほど短くなるが、後幕マグネット６ｍの保持力は後幕マグネット６ｍの温度に略反比例しているので、後幕マグネット６ｍの温度を推定または検出することによって後幕グマグネット６ｍの保持力を推定し、シャッター後幕６の切れ時間の温度変化を補正することができる。この一実施の形態では、さらに、ライブビュー期間中の後幕マグネット６ｍへの通電時間Ｔに対する後幕マグネット６ｍの温度上昇が、図６に示すような所定の特性を示すことを利用し、通電時間Ｔに基づいて温度を推定してシャッター秒時Ｔｎを補正する。
【００２６】
具体的には、後幕マグネット６ｍへの通電時間Ｔが温度飽和時間Ｔｓ（図６参照）より短い場合には、ステップ１９において次式によりシャッター秒時Ｔｎの補正時間Ｔｃを求める。
Ｔｃ＝ａ・Ｔ  ・・・(１)
(１)式において、ａは、後幕マグネット６ｍの通電時間Ｔに基づいて補正時間Ｔｃを算出するための係数である。通電時間Ｔが温度飽和時間Ｔｓより短い場合には、図６に示すように、後幕マグネット６ｍの通電時間Ｔに対する温度上昇はほぼ比例関係にあると近似できるから、後幕切れ時間の温度上昇にともなう短縮時間は、マグネット温度すなわち通電時間Ｔに比例して増加すると見なし、この短縮時間をシャッター秒時Ｔｎの補正時間Ｔｃとする。したがって、係数ａは、後幕マグネット６ｍへの通電時間Ｔに対する後幕切れ時間の減少度合いを示す係数ということができる。係数ａは後幕マグネット６ｍの種類ごとに実測し、コントローラー２５のメモリ２５ｂに予め記憶しておく。
【００２７】
一方、後幕マグネット６ｍへの通電時間Ｔが温度飽和時間Ｔｓ以上に長い場合には、ステップ２０において次式によりシャッター秒時Ｔｎの補正時間Ｔｃを求める。
Ｔｃ＝Ｔｂ  ・・・(２)
(２)式においてＴｂは所定時間である。後幕マグネット６ｍの温度飽和後はマグネット保持力も一定値に収束し、後幕切れ時間の温度上昇にともなう短縮時間も一定の時間になるから、短縮時間すなわち補正時間Ｔｃに所定時間Ｔｂを設定する。所定時間Ｔｂは後幕マグネット６ｍの種類ごとに実測し、コントローラー２５のメモリ２５ｂに予め記憶しておく。
【００２８】
シャッター秒時Ｔｎの補正時間Ｔｃを算出した後、図５のステップ２１へ進み、メインミラー３とサブミラー４をミラーダウンして撮影光路へ復帰させる。ステップ２２において測光装置１０により被写界の測光を行うとともに、焦点検出装置７により撮影光学系１の焦点検出を行う。そして、測光結果の被写体輝度に基づいて露出演算を行い、シャッター秒時を算出するとともに、焦点検出結果に基づいて撮影光学系１の焦点調節を行う。続くステップ２３でシャッター先幕５と後幕６のチャージを行う。ステップ２４において先幕マグネット５ｍと後幕マグネット６ｍへ通電した後、ステップ２５でメインミラー３とサブミラー４をミラーアップして撮影光路から退避させる。
【００２９】
ステップ２６で先幕マグネット５ｍへの通電を解除して先幕羽根５ｂを走行させ、撮像素子２の露光を開始する。続くステップ２７で先幕マグネット５ｍの通電解除から後幕マグネット６ｍの通電解除までの時間だけ待機する。上述したように通常の静止画撮影時にはこの待機時間をシャッター秒時Ｔｎとするが、ライブビューにより後幕マグネット６ｍの切れ時間が温度上昇により短縮していることから、シャッター秒時Ｔｎに対して上記補正時間Ｔｃを加算して補正した時間(Ｔｎ＋Ｔｃ)を待機時間とする。待機時間経過後にステップ２８へ進み、シャッター後幕マグネット６ｍへの通電を解除して後幕羽根６ｂを走行させ、撮像素子２の露光を終了する。
【００３０】
このように、ライブビュー期間中に後幕マグネット６ｍへ連続通電したことによる後幕切れ時間の短縮を補正するために、シャッター秒時Ｔｎに補正時間Ｔｃを加えたタイミングで後幕マグネット６ｍへの通電解除を行うようにしたので、図７に実線で示すように“補正有り時の後幕走行曲線”は後幕切れ時間の短縮時間、すなわち補正時間Ｔｃだけ右側に移動し、これにより“先幕走行曲線”と“補正有り時の後幕走行曲線”との間の露光時間が正確なシャッター秒時Ｔｎとなろ。つまり、ライブビュー後の静止画撮影において、ライブビュー期間中の後幕マグネット６ｍへの連続通電による温度上昇に拘わらず正確なシャッター秒時Ｔｎで静止画撮影を行うことができる。
【００３１】
撮像素子露光後のステップ２９でメインミラー３とサブミラー４をミラーダウンして撮影光路へ復帰させ、続くステップ３０でシャッター先幕５と後幕６のチャージを行う。
【００３２】
なお、上述した一実施の形態ではライブビュー後に静止画撮影を１回行う場合を説明したが、ライブビュー後の静止画撮影を繰り返し行う場合、つまりライブビュー後に静止画撮影を行い、ふたたびライブビューに戻った後に次の静止画撮影を行うというサイクル動作を繰り返し行う場合には、サイクル動作の時間間隔が短いと後幕マグネット６ｍの温度が常温に戻らない内に次のライブビューと静止画撮影が始まることになり、後幕マグネット６ｍへの通電時間Ｔによる温度を正しく推定できなくなる。そこで、ライブビュー後の静止画撮影を繰り返し行う場合には、次式によりシャッター秒時Ｔｎの補正時間Ｔｃを求める。
Ｔｃ＝ａＴ１−ｂＴ１’＋ａＴ２−ｂＴ２’＋・・・    ・・・(３)
(３)式において、ａは後幕マグネット６ｍへの通電時間に対する後幕切れ時間の減少度合いを示す係数、ｂは後幕マグネット６ｍの通電解除時間に対する後幕切れ時間の増加度合いを示す係数である。また、Ｔ１は１回目の静止画撮影に先立つライブビュー時の後幕マグネット６ｍの通電時間、Ｔ１’は１回目の後幕マグネット６ｍの通電終了から２回目の静止画撮影に先立つライブビューのための後幕マグネット６ｍの通電開始までの通電解除時間、Ｔ２は２回目の静止画撮影に先立つライブビュー時の後幕マグネット６ｍの通電時間、Ｔ２’は２回目の後幕マグネット６ｍの通電終了から３回目の静止画撮影に先立つライブビューのための後幕マグネット６ｍの通電開始までの通電解除時間である。
【００３３】
また、ライブビュー後に１回目の静止画撮影を行い、その後ライブビューに戻らずに２回目以降の静止画撮影を繰り返し行う場合には、１回目の静止画撮影に先立つライブビュー時に後幕マグネット６ｍの温度が上昇するが、それ以後はライブビューを行わないため、後幕マグネット６ｍの温度は徐々に低下する。このような場合には、次式によりシャッター秒時Ｔｎの補正時間Ｔｃを求める。
Ｔｃ＝ａＴ１−ｂＴ１’−ｂＴ２’−ｂＴ３’−・・・    ・・・(４)
(４)式において、係数ａおよび係数ｂ、並びにＴ１は上記(３)式による補正時間Ｔｃの場合と同様である。Ｔ１’は１回目の後幕マグネット６ｍの通電終了から２回目の静止画撮影までの時間、Ｔ２’は２回目の後幕マグネット６ｍの通電終了から３回目の静止画撮影までの時間、Ｔ３’は３回目の後幕マグネット６ｍの通電終了から４回目の静止画撮影までの時間である。
【００３４】
上述した一実施の形態ではライブビュー期間中に後幕マグネット６ｍへ連続通電した後に静止画撮影を行う場合を例に挙げて説明したが、ライブビューに限定されず後幕マグネット６ｍへ連続通電した後に静止画撮影を行う場合には、上述した一実施の形態の補正方法を実施することによって同様な効果が得られる。例えば、動画撮影中やバブル撮影中などでも後幕マグネット６ｍへ連続通電が行われるため、上述した一実施の形態の補正方法により正確なシャッター秒時Ｔｎで静止画撮影を行うことができる。
【００３５】
また、上述した一実施の形態ではライブビュー期間中の後幕マグネット６ｍへの通電時間Ｔにより後幕マグネット６ｍの温度上昇を推定し、後幕切れ時間の温度変化を補正する例を示したが、温度センサーを設けて後幕マグネット６ｍの温度を直接検出してもよい。あるいは、後幕マグネット６ｍへ流れる電流をシャント抵抗器（マグネットコイル６ｃに直列に接続した抵抗器）またはホール素子などのセンサーを用いて検出し、予めメモリ２５ｂに記憶した後幕マグネット６ｍの連続通電中の電流値に対する温度変化の特性曲線（図６参照）を参照して、ライブビュー期間中の後幕マグネット６ｍの温度を通電電流に基づいて推定し、後幕切れ時間の温度変化を補正するようにしてもよい。
【００３６】
なお、上述した実施の形態とそれらの変形例において、実施の形態と変形例とのあらゆる組み合わせが可能である。
【００３７】
上述した実施の形態とその変形例によれば以下のような作用効果を奏することができる。まず、シャッターの先幕５と後幕６の走行をそれぞれのマグネット５ｍ、６ｍにより係止または解除して撮像素子２の露光を制御するカメラであって、先幕マグネット５ｍへの通電を解除して先幕５を走行させるとともに後幕マグネット６ｍへ通電して後幕６の走行を係止したシャッター開放状態で所定の動作（ライブビュー、動画撮影、バルブ撮影など）を行うカメラにおいて、上記シャッター開放状態における後幕マグネット６ｍの温度を推定し、推定された温度に基づいて、上記所定の動作後の静止画撮影時の後幕マグネット６ｍの通電解除タイミングを変更するようにしたので、シャッター開放状態で所定の動作を行った後に静止画撮影を行うときに、所定の動作中の後幕マグネット６ｍへの連続通電による温度上昇に拘わらず正確なシャッター秒時Ｔｎで引き続き静止画撮影を行うことができる。
【００３８】
また、一実施の形態とその変形例によれば、推定された温度が高いほど後幕マグネット６ｍの通電解除タイミングを遅くするようにしたので、後幕マグネット６ｍの温度上昇による保持力低下のために後幕バネｂの走行開始タイミングが早くなるのを補償することができ、後幕マグネット６ｍへの連続通電による温度上昇に拘わらず正確なシャッター秒時Ｔｎで引き続き静止画撮影を行うことができる。
【００３９】
一実施の形態とその変形例によれば、上記シャッター開放状態における後幕マグネット６ｍへの通電時間を計時し、計時された通電時間に基づいて後幕マグネット６ｍの温度を推定するようにしたので、温度センサーを設けずに簡便な方法で温度を推定することができる。
【００４０】
なお、後幕マグネットｍ６への通電電流を検出する電流センサーを設け、この電流センサーにより検出された電流に基づいて後幕マグネット６ｍの温度を推定するようにしてもよい。
【００４１】
一実施の形態とその変形例によれば、上記シャッター開放状態とそれに続くシャッター閉じ状態における後幕マグネット６ｍの温度を推定し、上記所定の動作とその後の静止画撮影とを繰り返し行う場合には、推定された上記シャッター開放状態とそれに続くシャッター閉じ状態における後幕マグネット６ｍの温度に基づいて、上記所定の動作後の静止画撮影時の後幕マグネットの通電解除タイミングを変更するようにしたので、上記所定の動作とそれに続く静止画撮影とを繰り返し行う場合にも、上記所定の動作中の後幕マグネット６ｍへの連続通電による温度上昇に拘わらず正確なシャッター秒時Ｔｎで引き続き静止画撮影を行うことができる。この場合には、上記シャッター開放状態における後幕マグネット６ｍへの通電時間と、シャッター閉じ状態における後幕マグネット６ｍの非通電時間とを計時し、計時された通電時間と非通電時間とに基づいて後幕マグネット６ｍの温度を推定すればよい。これにより、上記所定の動作とそれに続く静止画撮影とを繰り返し行う場合でも、温度センサーを設けずに簡便な方法で温度を推定することができる。
【符号の説明】
【００４２】
２；撮像素子、５；シャッター先幕、５ｂ；先幕羽根、５ｍ；先幕マグネット、６；シャッター後幕、６ｂ；後幕羽根、６ｍ；後幕マグネット、２５；コントローラー
【図１】
2010181522.tif 000003
【図２】
2010181522.tif 000004
【図３】
2010181522.tif 000005
【図４】
2010181522.tif 000006
【図５】
2010181522.tif 000007
【図６】
2010181522.tif 000008
【図７】
2010181522.tif 000009